(57)【要約】【課題】装飾品が開示する情報等を第三者に対して強烈に訴求することができる装飾品を提供する。【解決手段】ベース部１２と、ベース部１２の一部の領域を構成する第１領域に装着され第１情報を開示する第１情報開示部１８と、ベース部１２の他の一部の領域を構成する第２領域に装着され第２情報を開示する第２情報開示部２０と、を有し、第１情報開示部１８又は第２情報開示部２０はベース部１２に対して着脱自在に構成され、第１情報開示部１８が第１領域と第２領域と第２情報開示部２０との少なくともいずれか２つの部位間で装着可能に構成され、又は第２情報開示部２０が第２領域と第１領域と第１情報開示部１８との少なくともいずれか２つの部位間で装着可能に構成されている。【選択図】      図１
2015008847.tif 000002
【特許請求の範囲】
【請求項１】
ベース部と、
前記ベース部の一部の領域を構成する第１領域に装着され第１情報を開示する第１情報開示部と、
前記ベース部の他の一部の領域を構成する第２領域に装着され第２情報を開示する第２情報開示部と、
を有し、
前記第１情報開示部又は前記第２情報開示部は、前記ベース部に対して着脱自在に構成され、
前記第１情報開示部が前記第１領域と前記第２領域と前記第２情報開示部との少なくともいずれか２つの部位間で装着可能に構成され、又は前記第２情報開示部が前記第２領域と前記第１領域と前記第１情報開示部との少なくともいずれか２つの部位間で装着可能に構成されていることを特徴とする装飾品。
【請求項２】
前記第１情報開示部が前記第２情報開示部に装着されたとき又は前記第２情報開示部が前記第１情報開示部に装着されたときに、前記第１情報開示部の前記第１情報と前記第２情報開示部の前記第２情報とが一体となって相互に関連する情報又は相互に関連しない別の情報が完成することを特徴とする請求項１に記載の装飾品。
【発明の詳細な説明】
【技術分野】
【０００１】
本発明は、所定の情報を開示する装飾品に関する。
【背景技術】
【０００２】
従来では、装飾品独自のデザインや版権をもつ企業とタイアップして装飾品自体にキャラクタ等の情報を施したものがある。
【先行技術文献】
【特許文献】
【０００３】
【特許文献１】特開平１１−１７０７９７号公報
【特許文献２】特開２０１１−２３５６２４号公報
【発明の概要】
【発明が解決しようとする課題】
【０００４】
しかしながら、従来の装飾品は、装飾品を所有する個人の満足度を充足するためのものであり、第三者に対して装飾品が開示する情報等を訴求するという目的のものではなかった。
【０００５】
そこで、本発明は、上記問題に鑑み、装飾品が開示する情報等を第三者に対して強烈に訴求することができる装飾品を提供することを目的とする。
【課題を解決するための手段】
【０００６】
本発明は、ベース部と、前記ベース部の一部の領域を構成する第１領域に装着され第１情報を開示する第１情報開示部と、前記ベース部の他の一部の領域を構成する第２領域に装着され第２情報を開示する第２情報開示部と、を有し、前記第１情報開示部又は前記第２情報開示部は、前記ベース部に対して着脱自在に構成され、前記第１情報開示部が前記第１領域と前記第２領域と前記第２情報開示部との少なくともいずれか２つの部位間で装着可能に構成され、又は前記第２情報開示部が前記第２領域と前記第１領域と前記第１情報開示部との少なくともいずれか２つの部位間で装着可能に構成されていることを特徴とする。
【０００７】
この場合、前記第１情報開示部が前記第２情報開示部に装着されたとき又は前記第２情報開示部が前記第１情報開示部に装着されたときに、前記第１情報開示部の前記第１情報と前記第２情報開示部の前記第２情報とが一体となって相互に関連する情報又は相互に関連しない別の情報が完成することが好ましい。
【発明の効果】
【０００８】
本発明によれば、装飾品が開示する情報等を第三者に対して強烈に訴求することができる。
【図面の簡単な説明】
【０００９】
【図１】本発明の一実施形態の装飾品の一例を示した構成図である。
【図２】本発明の一実施形態の装飾品に開示される情報内容の第１実施例を示した説明図である。
【図３】本発明の一実施形態の装飾品に開示される情報内容の第２実施例を示した説明図である。
【図４】本発明の一実施形態の装飾品に開示される情報内容の第３実施例を示した説明図である。
【図５】本発明の一実施形態の装飾品に開示される情報内容の第４実施例を示した説明図である。
【図６】本発明の一実施形態の装飾品に開示される情報内容の第５実施例を示した説明図である。
【発明を実施するための形態】
【００１０】
本発明の一実施形態に係る装飾品について、図面を参照して説明する。
【００１１】
図１に示すように、装飾品１０は、ベース部１２を備えている。ベース部１２は、例えば、立体形状（３次元）のものでも、平面状（２次元）のものでもよい。
【００１２】
装飾品１０の一用途として履物を例に挙げて説明する。なお、装飾品１０は、靴などの履物に限られるものではなく、例えば、玩具（知育用玩具・学習用玩具を含む）、アクセサリ、おもちゃ、モニュメント、遊具など全ての用途に適用することができる。
【００１３】
装飾品１０として履物を一例にとり説明すると、図１に示すように、ベース部１２は、履物の本体（外枠）になる。ベース部１２は、足裏が接触可能な足裏接触部１４と、つま先を挿入するつま先挿入部１６と、を有している。
【００１４】
足裏接触部１４はベース部１２を構成する一部の領域を占める第１領域を構成し、つま先挿入部１６はベース部１２を構成する他の一部の領域を占める第２領域を構成している。
【００１５】
足裏接触部１４の表面には、第１情報開示部１８が装着可能に構成されている。
【００１６】
ここで、足裏接触部１４と第１情報開示部１８の両方（あるいは一方）には、図示しない装着手段が施されている。装着手段として、例えば、面ファスナー、取り外し可能な接着材、シール剤、マグネット、相互に嵌め合う凸凹部など、既存の化学的又は物理的な手段が用いられる。
【００１７】
第１情報開示部１８は、例えば、平面状のもの、あるいは立体状のものが採用可能である。平面状のものとして、例えば、平面状のシートに所定のデザイン、画像、文字、記号、文章、キャッチフレーズなどの群により選ばれる少なくとも１以上の情報（第１情報という）が開示されているものが該当する。開示手段としては、予めシートに印字されていてもよく、ユーザ等が手書きによりシートに適宜書き込むようにしてもよい。また、立体状のものとして、例えば、突出部や湾曲部（平面部との組み合わせも含む）に所定のデザイン、画像、文字、記号、文章、キャッチフレーズなどの群により選ばれる少なくとも１つ以上の情報（第１情報という）が開示されているもの、あるいはフィギュア等のように立体形状のキャラクタ（第１情報という）で構成されているもの、などが該当する。
【００１８】
なお、「第１情報」とは、第１情報開示部１８が表示する情報と定義し、例えば、上述したように、文字、画像、デザイン、記号などの平面的な情報の他に、キャラクタなどの立体構造物などの立体的な情報までも含む。
【００１９】
足裏接触部１４の表面には、例えば、所定の情報（第３情報という）を開示するようにしてもよい。第３情報は、特に限定されるものではないが、例えば、第１情報、第２情報（後述）、第４情報（後述）と視覚的あるいは概念的に関連性のある内容（例えば、第１情報の詳細を取得するためのＱＲコード(登録商標、図４中のＱＲコードも同様)、スポンサー企業、宣伝などの各種情報）が好ましい。
【００２０】
足裏接触部１４で表示する第３情報は、第１情報開示部１８が装着されているときに第１情報開示部１８によって覆われて露出しないように構成されていてもよい。この態様では、足裏接触部１４から第１情報開示部１８を取り外したときに、第３情報がはじめて露出して視覚に訴える。あるいは、第３情報の一部が第１情報開示部１８の第１情報と補完し合って一つの情報を完成するように構成されていてもよい。この態様では、足裏接触部１４に第１情報開示部１８が装着された状態で一つの情報が認識でき、足裏接触部１４から第１情報開示部１８を取り外したときに、第３情報が第１情報開示部１８の装着時とは異なる別の情報として視認される。
【００２１】
つま先挿入部１６の表面には、第２情報開示部２０が装着可能に構成されている。
【００２２】
ここで、つま先挿入部１６と第２情報開示部２０の両方（あるいは一方）には、図示しない装着手段が施されている。装着手段として、例えば、面ファスナー、取り外し可能な接着材、シール剤、マグネット、相互に嵌め合う凸凹部など、既存の化学的又は物理的な手段が用いられる。
【００２３】
第２情報開示部２０は、例えば、平面状のもの、あるいは立体状のものが採用可能である。平面状のものとして、例えば、平面状のシートに所定のデザイン、画像、文字、記号、文章、キャッチフレーズなどの群により選ばれる少なくとも１以上の情報（第２情報という）が開示されているものが該当する。開示手段としては、予めシートに印字されていてもよく、ユーザ等が手書きによりシートに適宜書き込むようにしてもよい。また、立体状のものとして、例えば、突出部や湾曲部（平面部との組み合わせも含む）に所定のデザイン、画像、文字、記号、文章、キャッチフレーズなどの群により選ばれる少なくとも１つ以上の情報（第２情報という）が開示されているもの、あるいはフィギュア等のように立体形状のキャラクタ（第２情報という）で構成されているもの、などが該当する。
【００２４】
なお、「第２情報」とは、第２情報開示部２０が表示する情報と定義し、例えば、上述したように、文字、画像、デザイン、記号などの平面的な情報の他に、キャラクタなどの立体構造物などの立体的な情報までも含む。
【００２５】
つま先挿入部１６には、例えば、所定の情報（第４情報という）を開示するようにしてもよい。第４情報は、特に限定されるものではないが、例えば、第１情報、第２情報、第３情報と視覚的あるいは概念的に関連性のある内容（例えば、第２情報の詳細を取得するためのＱＲコード(登録商標、図４中のＱＲコードも同様)、スポンサー企業、宣伝などの各種情報）が好ましい。
【００２６】
つま先挿入部１６で表示する第４情報は、第２情報開示部２０が装着されているときに第２情報開示部２０によって覆われて露出しないように構成されていてもよい。この態様では、つま先挿入部１６から第２情報開示部２０を取り外したときに、第４情報がはじめて露出して視覚に訴える。あるいは、第４情報の一部が第２情報開示部２０の第２情報と補完し合って一つの情報を完成するように構成されていてもよい。この態様では、つま先挿入部１６に第２情報開示部２０が装着された状態で一つの情報が認識でき、つま先挿入部１６から第２情報開示部２０を取り外したときに、第４情報が第２情報開示部２０の装着時とは異なる別の情報として視認される。
【００２７】
ここで、第１情報開示部１８と第２情報開示部２０の両方（あるいは一方）においても、図示しない装着手段が施されていてもよい。装着手段として、例えば、面ファスナー、取り外し可能な接着材、シール剤、マグネット、相互に嵌め合う凸凹部など、既存の化学的又は物理的な手段が用いられる。これにより、第１情報開示部１８が第２情報開示部２０の表面に装着可能になり、逆に第２情報開示部２０が第１情報開示部１８の表面に装着可能になる。
【００２８】
そして、第１情報開示部１８が第２情報開示部２０に装着されたとき、あるいは第２情報開示部２０が第１情報開示部１８に装着されたときに、第１情報開示部１８の第１情報と第２情報開示部２０の第２情報とが一体となって相互に関連する情報又は相互に関連しない別の情報が完成することが好ましい。
【００２９】
本実施形態によれば、第１情報開示部１８と第２情報開示部２０によってそれぞれ異なる情報を開示することができるとともに、例えば第１情報から第２情報（その逆も含む）への誘導等を伴って、複数の情報を段階的にアピールすることができる。この構成を採用すれば、第１情報、第２情報、第３情報、第４情報から選ばれる少なくとも２つの情報の間で、視覚的又は観念的にまとまった一連の印象を構築して表現することができ、情報の訴求力を著しく高めることができる。
【００３０】
なお、足裏接触部１４及びつま先挿入部１６に所定の情報が施された構成であれば、多くの情報をアピールすることができるが、所定の情報が施されていない場合においても、第１情報開示部１８及び第２情報開示部２０に開示された情報だけで訴求することができる。この場合には、足裏接触部１４及びつま先挿入部１６に情報を開示する必要がなくなるため、情報開示作業の負担を軽減することができる。
【００３１】
以下、本発明の様々な実施例について説明する。なお、下記の実施例については、本発明が各実施例に限定されるものではなく、本発明の一つの適用例として参考的に開示されたものである。
【００３２】
（実施例１）
次に、実施例１について説明する。
【００３３】
図２及び図１に示すように、ベース部１２の第１領域に装着された第１情報開示部１８には火事の炎を示したデザイン（写真）が開示されており、第２領域に装着された第２情報開示部２０にはアタッチメントとしての消防車の立体形状物が開示されている。第２情報開示部２０を第１情報開示部１８の表面上に装着することにより、観念的に共通する情報をグループ分けすることができる。このように使用することにより、例えば、園児等の知育あるいは高齢者の痴呆防止に役立つ教材として利用することができる。
【００３４】
また、ベース部１２の第１領域に装着された第１情報開示部１８にはレスキュー隊による救助作業を示したデザイン（写真）が開示されており、第２領域に装着された第２情報開示部２０にはアタッチメントとしての救急車の立体形状物が開示されている。第２情報開示部２０を第１情報開示部１８の表面に装着することにより、観念的に共通する情報をグループ分けすることができる。これも同様にして、園児等の知育あるいは高齢者の痴呆防止に役立つ教材として利用することができる。
【００３５】
なお、ベース部１２の第１領域に施された第３情報として企業名、ＱＲコード(登録商標、図４中のＱＲコードも同様)、ＵＲＬ、検索ワード等を開示することにより、第１情報開示部１８を第１領域から取り外したときにこれらの情報がはじめて露出し、ホームページ等への誘導を促すことができる。
【００３６】
また同様にして、ベース部１２の第２領域に施された第４情報として企業名等を開示することにより、第２情報開示部２０を第２領域から取り外したときにこの情報がはじめて露出し、ホームページ等への誘導を促すことができる。
【００３７】
（実施例２）
次に、実施例２について説明する。
【００３８】
図３及び図１に示すように、ベース部１２の第１領域に装着された第１情報開示部１８は別個独立した基礎開示部１８Ａと装飾開示部１８Ｂとで構成され、基礎開示部１８Ａにはデザイン全体が開示されており、装飾開示部１８Ｂには別観点から関連するデザインが開示されている。第２領域に装着された第２情報開示部２０には第１情報開示部１８のデザインの一部を構成するデザイン（第１情報開示部１８のデザインと関連性のあるもの）が開示されている。そして、第１情報開示部１８の装飾開示部１８Ｂの位置に第２情報開示部２０を装着することにより、第２情報開示部２０の情報と基礎開示部１８Ａの情報とが一体となって基礎開示部１８Ａのデザイン全体が完成するように構成されている。また、装飾開示部１８Ｂは、第１領域から取り外して第２領域に装着する。
【００３９】
デザインの一例として、第１情報開示部１８の基礎開示部１８Ａには車のデザイン全体が開示され、装飾開示部１８Ｂには車の車種が開示され、第２情報開示部２０には基礎開示部１８Ａのデザインである車の一部のデザインが開示されている。そして、第１情報開示部１８の装飾開示部１８Ｂを第１領域から取り外し、替わりに第２情報開示部２０を装飾開示部１８Ｂの位置に装着するとともに、装飾開示部１８Ｂを第２領域に装着することにより、車のデザインと車種とを組み合わせた宣伝情報が完成する。
【００４０】
これによれば、例えば最初につま先挿入部１６の第２情報開示部２０の第２情報を見た人が上記付け替え作業をすることにより、その人に対して第１情報及び第２情報の内容を強烈に訴求することができる。
【００４１】
（実施例３）
次に、実施例３について説明する。
【００４２】
図４及び図１に示すように、ベース部１２の第２領域に装着された第２情報開示部２０にはクイズの一部が開示されており、第１領域に装着された第１情報開示部１８にはクイズの残りの部分とＱＲコード(登録商標、図４中のＱＲコードも同様)が開示されている。クイズの回答をＱＲコード(登録商標、図４中のＱＲコードも同様)からインターネットを介してサイトに誘導することにより、様々な情報を収集することができる。
【００４３】
（実施例４）
次に、実施例４について説明する。
【００４４】
図５及び図１に示すように、装飾品を一対揃え、一方の装飾品１０Ａのベース部１２の第２領域に装着された第２情報開示部２０には漢字や熟語が開示されており、第１領域に装着された第１情報開示部１８にはその意味が日本語で開示されている。他方の装飾品１０Ｂのベース部１２の第２領域に装着された第２情報開示部２０には漢字や熟語のローマ字が開示されており、第１領域に装着された第１情報開示部１８にはその意味が英語で開示されている。
【００４５】
このように、日本特有の漢字や熟語の意味内容をアピールすることができる。なお、各情報の内容は、適宜、設定変更することができる。
【００４６】
（実施例５）
次に、実施例５について説明する。
【００４７】
図６及び図１に示すように、ベース部１２の第１領域に装着された第１情報開示部１８には複数種類のバスの駐車スペースが開示されており、第２領域に装着された第２情報開示部２０には複数種類のバスの立体形状物が開示されている。第２情報開示部２０を第１情報開示部１８の表面の指定スペースに装着することにより、ジオラマ化することができる。このように使用することにより、例えば、園児等の知育あるいはキャラクタ愛好者に役立つ教材として利用することができる。
【００４８】
なお、上記実施例は本発明の一例を挙げたものに過ぎず、当業者が適宜設計変更できる範囲は、本発明の範囲に含まれる。
【符号の説明】
【００４９】
１０    装飾品
１２    ベース部
１４    足裏接触部
１６    つま先挿入部
１８    第１情報開示部
２０    第２情報開示部
【図１】
2015008847.tif 000003
【図４】
2015008847.tif 000004
【図５】
2015008847.tif 000005
【図２】
2015008847.tif 000006
【図３】
2015008847.tif 000007
【図６】
2015008847.tif 000008